(57)【要約】【課題】  メダルの枚数を計数する手段を無効にされてもメダルの不正な抜き取りを検出して警報する。【解決手段】  外部から補給されたメダルｍを払い出し時まで貯留するメダルホッパー９と、投入された金額を識別するビルバリ４と、同ビルバリ４への投入金額に応じた枚数のメダルｍをメダルホッパー９から払い出す払出器１０と、メダルホッパー９のメダルｍの所定量以下を検知する下限センサー１１とを備え、同下限センサー１１が検知すると外部から一定量のメダルｍをバッチ補給するようにしたメダル貸し機１において、バッチ補給の１回分のメダルｍの量に対して売上相当金額を設定し、下限センサー１１が検知した時点からその直前のバッチ補給完了時点との間におけるビルバリ４への投入金額を前記売上相当金額から差し引いた差額が所定額に達した場合に警報する不正検出装置１７を設けた。【選択図】  図２
2008142147.tif 000002
【特許請求の範囲】
【請求項１】
外部から補給されたメダルを払い出し時まで貯留するメダルホッパーと、投入された金額を識別するビルバリと、同ビルバリへの投入金額に応じた枚数のメダルをメダルホッパーから払い出す払出器と、メダルホッパーのメダルの所定量以下を検知する下限センサーとを備え、同下限センサーが検知すると外部から一定量のメダルをバッチ補給するようにしたメダル貸し機において、バッチ補給の１回分のメダル量に対して売上相当金額を設定し、下限センサーが検知した時点からその直前のバッチ補給完了時点との間におけるビルバリへの投入金額を前記売上相当金額から差し引いた差額が所定額に達した場合に警報する警報手段を設けたことを特徴とする、メダル貸し機の不正検出装置。
【請求項２】
バッチ補給の方法が、下限センサーの上方位置にメダルの所定量以上を検知する補給停止センサーを設け、下限センサーが検知すると補給停止センサーが検知するまで補給装置を作動させて一定量のメダルを自動的に補給するようにしたものである、請求項１記載のメダル貸し機の不正検出装置。
【請求項３】
バッチ補給の方法が、補給停止センサーの上方位置にメダルの満量を検知する満量センサーを設け、補給停止センサーが検知すると満量センサーが検知するまでメダルを補給するように作業者へ指示する指示手段を設け、人手で一定量のメダルを補給できるようにしたものである、請求項２記載のメダル貸し機の不正検出装置。
【請求項４】
バッチ補給の方法が、外部から補給装置で取り込まれたメダルをメダルホッパーへ送る補給路を設け、補給装置又は補給路の途中位置にメダルの通過枚数を計数する計数器を設け、下限センサーが検知すると計数器の計数枚数が所定枚数に達するまで補給装置を作動させて一定量のメダルを自動的に補給するようにしたものである、請求項１記載のメダル貸し機の不正検出装置。
【請求項５】
バッチ補給の方法が、外部から補給装置で取り込まれたメダルをメダルホッパーへ送る補給路を設け、下限センサーが検知すると所定時間が経過するまで補給装置を作動させて一定量のメダルを自動的に補給するようにしたものである、請求項１記載のメダル貸し機の不正検出装置。
【発明の詳細な説明】
【技術分野】
【０００１】
本発明は、メダルの不正な抜き取りを検出して警報するメダル貸し機の不正検出装置に関する。
【背景技術】
【０００２】
従来、メダル貸し機の不正検出装置が特許文献１で開示されている。この技術は、外部から補給されたメダルを払い出し時まで貯留するメダルホッパーと、投入金額に応じた枚数のメダルをメダルホッパーから払い出す払出器と、払出器で払い出されるメダルを計数用に検知する爪等を備えた検知器と、メダルホッパーのメダルの所定量以下をセンサーで検知すると外部から一定量のメダルをバッチ補給する補給手段と、バッチ補給間における払い出し枚数が設定枚数より少ないと不正と判断して警報する警報手段とを備えたことを特徴としている。
【０００３】
ところで、前記の技術では、メダルの受け皿から差し込んだ手で検知器の爪を押さえつけて検知不能にし、計数を停止させて投入金額に応じた枚数以上のメダルを不正に抜き取られてしまうことがあった。前記のような不正検出技術は、メダルの実際の払い出し枚数を設定枚数と比較することで不正か否かを判断するから、メダルの枚数を計数する手段自体が無効にされると効果を発揮できず、依然不正行為を容易に許してしまう問題があった。
【特許文献１】特開２００２−１０２４２５号公報
【発明の開示】
【発明が解決しようとする課題】
【０００４】
本発明が解決しようとする課題は、従来のこれらの問題点を解消し、メダルの枚数を計数する手段を無効にされてもメダルの不正な抜き取りを検出して警報できるメダル貸し機の不正検出装置を提供することにある。
【課題を解決するための手段】
【０００５】
かかる課題を解決した本発明の構成は、
１）  外部から補給されたメダルを払い出し時まで貯留するメダルホッパーと、投入された金額を識別するビルバリと、同ビルバリへの投入金額に応じた枚数のメダルをメダルホッパーから払い出す払出器と、メダルホッパーのメダルの所定量以下を検知する下限センサーとを備え、同下限センサーが検知すると外部から一定量のメダルをバッチ補給するようにしたメダル貸し機において、バッチ補給の１回分のメダル量に対して売上相当金額を設定し、下限センサーが検知した時点からその直前のバッチ補給完了時点との間におけるビルバリへの投入金額を前記売上相当金額から差し引いた差額が所定額に達した場合に警報する警報手段を設けたことを特徴とする、メダル貸し機の不正検出装置
２）  バッチ補給の方法が、下限センサーの上方位置にメダルの所定量以上を検知する補給停止センサーを設け、下限センサーが検知すると補給停止センサーが検知するまで補給装置を作動させて一定量のメダルを自動的に補給するようにしたものである、前記１）記載のメダル貸し機の不正検出装置
３）  バッチ補給の方法が、補給停止センサーの上方位置にメダルの満量を検知する満量センサーを設け、補給停止センサーが検知すると満量センサーが検知するまでメダルを補給するように作業者へ指示する指示手段を設け、人手で一定量のメダルを補給できるようにしたものである、前記２）記載のメダル貸し機の不正検出装置
４）  バッチ補給の方法が、外部から補給装置で取り込まれたメダルをメダルホッパーへ送る補給路を設け、補給装置又は補給路の途中位置にメダルの通過枚数を計数する計数器を設け、下限センサーが検知すると計数器の計数枚数が所定枚数に達するまで補給装置を作動させて一定量のメダルを自動的に補給するようにしたものである、前記１）記載のメダル貸し機の不正検出装置
５）  バッチ補給の方法が、外部から補給装置で取り込まれたメダルをメダルホッパーへ送る補給路を設け、下限センサーが検知すると所定時間が経過するまで補給装置を作動させて一定量のメダルを自動的に補給するようにしたものである、前記１）記載のメダル貸し機の不正検出装置
にある。
【発明の効果】
【０００６】
本発明によれば、貨幣がビルバリに投入されるとその投入金額に応じた枚数のメダルがメダルホッパーから払い出され、下限センサーでメダルホッパーのメダルの所定量以下が検知されると一定量がバッチ補給される。この下限センサーで検知した（バッチ補給の１回分の量のメダルが払い出された）時点からその直前のバッチ補給完了時点との間におけるビルバリへの投入金額（数回に分けて投入された場合はその合計額）を予め設定したバッチ補給の１回分の売上相当金額から差し引いた差額が所定額（０円又は誤差以上の額）に達した場合は投入金額に応じた枚数以上のメダルが払い出されたことになり、不正と判断して警報する。したがって、メダル枚数の計数手段を無効にされても不正検出手段が機能し、しかもメダル枚数の計数手段と比較して手の届きにくい（不正行為者にとって分かりにくい）ところで検出が行われるから不正行為が困難であり、従来技術と比較してより確実に不正を検出して警報できるようになる。
【発明を実施するための最良の形態】
【０００７】
本発明のバッチ補給方法としては、補給装置による自動的な補給と人手による補給があり、補給装置による方法としては、下限センサーの上方位置にメダルの所定量以上を検知する補給停止センサーを設け、下限センサーが検知すると補給停止センサーが検知するまで補給装置を作動させてバッチ補給１回分のメダルを補給する方法と、メダルホッパーへ取り込む補給装置又はその補給路の途中位置にメダルの通過枚数を計数する計数器を設け、下限センサーが検知すると計数器の計数枚数がバッチ補給１回分の枚数に達するまで補給装置を作動させて補給する方法と、下限センサーが検知するとタイマ等でバッチ補給１回分の取り込みに要する時間がカウントされるまで補給装置を作動させて補給する方法がある。人手による方法では、払い出しに対して補給が間に合わない場合があるから、下限センサーをやや上方位置に設ける。補給装置による自動補給と人手による補給を両用する場合は、補給停止センサーを下限センサーとして用い、その上方位置に満量センサーを設け、補給停止センサーが検知すると満量センサーが検知するまで補給指示を示すランプ等を備えた指示手段を設ける。あるいは、目盛り付きの容器にメダルを目盛り分入れ、これをメダルホッパーへ直接投入して一定量を補給するようしてもよい。以下、本発明の実施例を図面に基づいて具体的に説明する。
【実施例１】
【０００８】
図１〜６に示す実施例は、スロットマシンのゲーム用のメダルを貸し出すメダル貸し機の不正検出装置の例である。図１は実施例のメダル貸し機の斜視図、図２は実施例のメダル貸し機の説明図、図３は実施例の不正検出装置の説明図、図４は実施例の不正検出装置のプログラムのフローチャート、図５，６は実施例のメダルの払い出し時における売上相当金額と投入金額との対比を示す説明図である。
【０００９】
図中、１はメダル貸し機、２は筐体、３は貨幣投入口、４はビルバリ、５は制御部、６は供給ライン、７は補給装置、８は補給路、９はメダルホッパー、１０は払出器、１１は下限センサー、１２は補給停止センサー、１３は満量センサー、１４は補給指示装置（指示手段）、１５はシュート、１６は受け皿、１７は不正検出装置、１８はＣＰＵ、１９はＲＡＭ、２０はＲＯＭ、２１はインターフェイス、２２は警報部、２３はスピーカー、２４は警報ランプ、２５は信号線、ｍはメダルである。
【００１０】
本実施例のメダル貸し機１は、図１，２に示すように貨幣投入口３から投入された貨幣を識別するビルバリ４と、ビルバリ４に投入された金額に応じた枚数のメダルを払い出すように制御する制御部５と、制御部５の制御により供給ライン６のメダルｍを取り込む開閉ゲート式の補給装置７と、補給装置７で取り込んで補給路８を通じて補給した多数枚のメダルｍを払い出し時まで貯留するメダルホッパー９と、メダルホッパー９内のメダルｍを制御部５の制御により所定枚数払い出す払出器１０と、払出器１０で払い出されたメダルｍを排出するシュート１５と、シュート１５で排出されたメダルｍを収容する受け皿１６とで構成されている。
【００１１】
メダルホッパー９には、低位置にメダルｍからの離間で所定量以下を検知する下限センサー１１を設け、下限センサー１１の上方位置にメダルｍと接触して所定量以上を検知する補給停止センサー１２を設け、補給停止センサー１２の上方位置にメダルｍと接触して満量を検知する満量センサー１３を設けている。また、人手でメダルｍを補給する際の指示手段として、補給開始を示す補給開始ランプと補給停止を示す補給停止ランプとを備えた補給指示装置１４を設けている。
【００１２】
制御部５は、補給装置７で自動補給する場合は、下限センサー１１が検知すると補給装置７を作動させ、補給停止センサー１２が検知すると補給装置７を停止させるように制御し、人手で補給する場合は、補給停止センサー１２が検知すると補給指示装置１４の補給開始ランプを点灯させ、満量センサー１３が検知すると補給指示装置１４の補給停止ランプを点灯させるように制御する。メダルｍの売上金額は２０円／枚に設定し、補給装置７によるバッチ補給１回分（およそ２００枚）のメダルｍに対しては４０００円の売上相当金額ｃを設定し、人手によるバッチ補給１回分（およそ３５０枚）のメダルｍに対しては７０００円の売上相当金額ｃを設定し、１０００円当たりの払い出し枚数は５０枚に設定している。
【００１３】
不正検出装置１７は、図３に示すようにＣＰＵ１８・ＲＡＭ１９・ＲＯＭ２０・インターフェイス２１・警報部２２・スピーカー２３・警報ランプ２４・信号線２５で構成し、ビルバリ４・下限センサー１１・補給停止センサー１２・満量センサー１３は信号線２５を介して接続している。ＲＯＭ２０内のプログラムは、補給装置７で自動補給する場合は、下限センサー１１が検知した時点からその直前のバッチ補給完了時点との間における投入金額ａ（ビルバリ４へ投入する度に識別される各識別金額ｂの合計）を売上相当金額ｃから差し引いた差額が２０００円以上であった場合に補給装置７と払出器１０の作動を停止させ、警報音をスピーカー２３で発音させるとともに警報ランプ２４を点灯させるように構成し、人手で補給する場合は、補給停止センサー１２が検知した時点からその直前のバッチ補給完了時点との間における投入金額ａ（ビルバリ４へ投入する度に識別される各識別金額ｂの合計）を売上相当金額ｃから差し引いた差額が２０００円以上であった場合に補給装置７と払出器１０の作動を停止させ、警報音をスピーカー２３で発音させるとともに警報ランプ２４を点灯させるように構成している。不正検出装置１７はビルバリ４の上部に内蔵させ、スピーカー２３と警報ランプ２４を不正検出装置１７の正面に備え、筐体２の正面にスピーカー２３用のスリットと警報ランプ２４用の窓を形成している。
【００１４】
本実施例では、貨幣投入口３に貨幣が投入されると、その投入金額に応じた枚数のメダルｍがメダルホッパー９から払出器１０で計数しながら払い出され、払い出しで減少したメダルｍが下限センサー１１で検知されると、補給装置７が作動して供給ライン６のメダルｍが補給路８を通じてメダルホッパー９へ取り込まれ、補給されたメダルｍが積み上がって補給停止センサー１２で検知されると補給装置７が停止する。
【００１５】
不正検出装置１７では、図５（ａ）に示すようにバッチ補給が完了した（補給停止センサー１２が検知した）時点からビルバリ４の識別金額ｂを投入の度に積算して投入金額ａを求めていき、下限センサー１１が検知した際に、前記求めた投入金額ａ（識別金額ｂ1＋ｂn・・・の合計）を予め設定したバッチ補給１回分の売上相当金額ｃから差し引いた差額が２０００円を含むそれ未満の場合は投入金額ａに応じた枚数のメダルｍが払い出されたと判断して監視を継続する。
【００１６】
図５（ｂ）に示すように、バッチ補給完了後に何者かが例えば１０００円を投入し、巡回する店員や警備員の隙を突いて、払出器１０の計数手段（図示せず）を様々な手口で狂わせてメダルｍを不正に抜き取ろうとする。計数手段を狂わされた払出器１０はメダルｍをさらに払い出し続け、下限センサー１１が検知する。不正検出装置１７は投入金額ａを売上相当金額ｃから差し引き、この場合の投入金額ａは最初に投入された識別金額ｂ1の１０００円のみで差額が３０００円となるから、不正検出装置１７は作動中の補給装置７と払出器１０を即時に停止させてスピーカー２３で警報音を発音するとともに警報ランプ２４を点灯させ、その警報音や点灯で店員や警備員が駆けつけて不正行為が防止される。
【００１７】
メダルｍの補給を人手で行う場合は、貨幣投入口３に貨幣が投入されると、その投入金額に応じた枚数のメダルｍがメダルホッパー９から払出器１０で計数しながら払い出され、払い出しで減少したメダルｍが補給停止センサー１２で検知されると補給指示装置１４の補給開始ランプが点灯し、作業者はメダルｍをメダルホッパー９へ直接又は補給路８を通じて補給し、補給されたメダルｍが積み上がって満量センサー１３で検知されると補給指示装置１４の補給停止ランプが点灯して作業者は補給を終了する。
【００１８】
不正検出装置１７は、図６（ａ）に示すようにバッチ補給が完了した（満量センサー１３が検知した）時点からビルバリ４の識別金額ｂを投入の度に積算して投入金額ａを求めていき、補給停止センサー１２が検知した際に、前記求めた投入金額ａ（識別金額ｂ1＋ｂn・・・の合計）をバッチ補給１回分の売上相当金額ｃから差し引いた差額が２０００円を含むそれ未満の場合は投入金額ａに応じた枚数のメダルｍが払い出されたと判断して監視を継続し、図６（ｂ）に示すように投入金額ａを売上相当金額ｃから差し引いた差額が２０００円以上であった場合は作動中の補給装置７と払出器１０を即時に停止させてスピーカー２３で警報音を発音するとともに警報ランプ２４を点灯させる。
【００１９】
図７に示すのは、補給路の途中位置にメダルの通過枚数を計数する計数器を設け、下限センサーが検知すると計数器の計数枚数が所定枚数に達するまで補給装置を作動させて一定量のメダルを自動的に補給するようにした実施例の他の例である。図７は実施例の他の例のメダル貸し機の説明図である。図中、８ａは計数器で、制御部５と接続している。
【００２０】
制御部５は、下限センサー１１が検知すると補給装置７を作動させ、計数器８ａに補給路８を通過するメダルｍの枚数を計数させ、計数器８ａの計数枚数が２００枚（バッチ補給１回分）に達すると補給装置７を停止させるように制御する。また、計数器８ａに代えてタイマ（図示せず）を制御部５に内蔵させ、下限センサー１１が検知すると補給装置７を作動させてタイマでカウントを開始し、タイマが２０秒（供給ライン６の供給量が６００枚／分の場合における、バッチ補給１回分の２００枚の取り込みに要する時間）をカウントすると補給装置７を停止させるように制御してもよい。その他、符号、構成、作用効果は実施例と同じである。
【産業上の利用可能性】
【００２１】
本発明のメダル貸し機の不正検出装置は、メダルを用いる全ての遊技設備のメダル貸し機に利用できる。また、従来の不正検出装置と組み合わせて不正行為の検出精度をより高めることができる。
【図面の簡単な説明】
【００２２】
【図１】実施例のメダル貸し機の斜視図である。
【図２】実施例のメダル貸し機の説明図である。
【図３】実施例の不正検出装置の説明図である。
【図４】実施例の不正検出装置のプログラムのフローチャートである。
【図５】実施例のメダルの払い出し時における売上相当金額と投入金額との対比を示す説明図である。
【図６】実施例のメダルの払い出し時における売上相当金額と投入金額との対比を示す説明図である。
【図７】実施例の他の例のメダル貸し機の説明図である。
【符号の説明】
【００２３】
１  メダル貸し機
２  筐体
３  貨幣投入口
４  ビルバリ
５  制御部
６  供給ライン
７  補給装置
８  補給路
８ａ  計数器
９  メダルホッパー
１０  払出器
１１  下限センサー
１２  補給停止センサー
１３  満量センサー
１４  補給指示装置
１５  シュート
１６  受け皿
１７  不正検出装置
１８  ＣＰＵ
１９  ＲＡＭ
２０  ＲＯＭ
２１  インターフェイス
２２  警報部
２３  スピーカー
２４  警報ランプ
２５  信号線
ｍ  メダル
【図１】
2008142147.tif 000003
【図２】
2008142147.tif 000004
【図３】
2008142147.tif 000005
【図４】
2008142147.tif 000006
【図５】
2008142147.tif 000007
【図６】
2008142147.tif 000008
【図７】
2008142147.tif 000009